【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
超音波運動発生器であって、該超音波運動発生器は、
直流を第１の周波数を有する交流（ＡＣ）に逆変換するように構成されている非共振インバーターと、
該非共振インバーターから該ＡＣを受け取るように構成されている運動感知回路と、
該運動感知回路と電気的に結合されている超音波変換器であって、該超音波変換器は、該ＡＣに基づいて超音波運動を発生させるように構成され、該運動感知回路は、該超音波変換器を通過する運動電流を感知するようにさらに構成されている、超音波変換器と、
コンパレーターであって、該コンパレーターは、該運動電流に基づいて、該超音波変換器の共振周波数からの該第１の周波数の偏差を検出するように構成され、該非共振インバーターを駆動するために、該偏差に基づいて出力信号を発生させるように構成されている、コンパレーターと
を含む、超音波運動発生器。
【請求項２】
前記超音波運動の長手方向変位は、前記超音波運動発生器に動作可能に接続されている負荷に基づいている、請求項１に記載の超音波運動発生器。
【請求項３】
前記運動感知回路は、抵抗値Ｒ１を有する抵抗器と直列である、キャパシタンス値Ｃを有するキャパシタを含み、該キャパシタおよび抵抗器は、抵抗値Ｒ２およびＲ３をそれぞれ有する２つの抵抗器と並列である、請求項１に記載の超音波運動発生器。
【請求項４】
Ｒ１は、前記超音波変換器の寄生キャパシタンス、Ｒ２、およびＣに依存する、請求項３に記載の超音波運動発生器。
【請求項５】
前記超音波変換器は、直列で接続されている抵抗器と、キャパシタと、インダクターとを含むバンドパスフィルターとして作られている、請求項１に記載の超音波運動発生器。
【請求項６】
前記超音波変換器の前記共振周波数は、
【数１】
2017047224.tif 000001
によって規定され、式中、Ｌは、前記インダクターのインダクタンスであり、Ｃは、前記キャパシタのキャパシタンスである、請求項５に記載の超音波運動発生器。
【請求項７】
周波数領域において、前記コンパレーターの利得と前記バンドパスフィルターの利得との積の大きさは、１に等しい、請求項５に記載の超音波運動発生器。
【請求項８】
前記周波数領域において、前記コンパレーターの前記利得と前記バンドパスフィルターの前記利得との前記積の位相は、２Ｐｉラジアンの整数倍に等しい、請求項７に記載の超音波運動発生器。
【請求項９】
前記コンパレーターは、高い開ループ利得を有する、請求項１に記載の超音波運動発生器。
【請求項１０】
前記非共振インバーターおよび前記超音波変換器と電気的に結合されている変圧器をさらに含み、該変圧器は、該非共振インバーターによって逆変換される前記ＡＣの振幅を制御するように構成されている、請求項１に記載の超音波運動発生器。
【請求項１１】
前記超音波運動の長手方向変位は、前記非共振インバーターによって逆変換される前記ＡＣの振幅に基づいている、請求項１に記載の超音波運動発生器。
【請求項１２】
前記非共振インバーターは、前記コンパレーターの前記出力信号に基づいて、ディジタル共振信号によって制御されている、請求項１に記載の超音波運動発生器。
【請求項１３】
組織を処置するための超音波外科手術装置であって、該超音波外科手術装置は、
直流（ＤＣ）を出力するように構成されている電源と、
該電源と電気的に結合されている超音波運動発生器であって、該超音波運動発生器は、
直流を第１の周波数を有する交流（ＡＣ）に逆変換するように構成されている非共振インバーターと、
該非共振インバーターと電気的に結合されている運動感知回路と、
該運動感知回路と電気的に結合されている超音波変換器であって、該超音波変換器は、該ＡＣに基づいて超音波運動を発生させるように構成され、該運動感知回路は、該超音波変換器を通過する運動電流を感知するようにさらに構成されている、超音波変換器と、
コンパレーターであって、該コンパレーターは、該運動電流に基づいて、該超音波変換器の共振周波数から該第１の周波数の偏差を検出するように構成され、該非共振インバーターを駆動するために、該偏差に基づいて出力信号を発生させるように構成されている、コンパレーターと
を含む、超音波運動発生器と、
該電源から該超音波運動発生器へ通過する該ＤＣを感知するように構成されているセンサーと、
該センサーおよび該コンパレーターと結合されているコントローラーと
を含み、該コントローラーは、該ＤＣの振幅を制御するように構成されている、超音波外科手術装置。
【請求項１４】
前記超音波運動の長手方向変位は、前記超音波運動発生器に動作可能に接続されている負荷に基づいている、請求項１３に記載の超音波外科手術装置。
【請求項１５】
前記超音波変換器は、直列で接続されている抵抗器と、キャパシタと、インダクターとを含むバンドパスフィルターとして構成されている、請求項１３に記載の超音波外科手術装置。
【請求項１６】
前記超音波変換器の前記共振周波数は、
【数２】
2017047224.tif 000002
によって規定され、式中、Ｌは、前記インダクターのインダクタンスであり、Ｃは、前記キャパシタのキャパシタンスである、請求項１５に記載の超音波外科手術装置。
【請求項１７】
周波数領域において、前記コンパレーターの利得と前記バンドパスフィルターの利得との積の大きさは、１に等しい、請求項１５に記載の超音波外科手術装置。
【請求項１８】
前記周波数領域において、前記コンパレーターの前記利得と前記バンドパスフィルターの前記利得との前記積の位相は、２Ｐｉラジアンの整数倍に等しい、請求項１７に記載の超音波外科手術装置。
【請求項１９】
前記コンパレーターは、高い開ループ利得を有する、請求項１３に記載の超音波外科手術装置。
【請求項２０】
前記コントローラーは、前記非共振インバーターを駆動させるために、前記出力信号に基づいてディジタルパルス幅変調信号を発生させるようにさらに構成されている、請求項１３に記載の超音波外科手術装置。
【請求項２１】
前記超音波運動発生器は、前記非共振インバーターおよび前記超音波変換器と電気的に結合されている変圧器をさらに含み、該変圧器は、該非共振インバーターによって逆変換される前記ＡＣの振幅を制御するように構成されている、請求項１３に記載の超音波外科手術装置。
【請求項２２】
前記電源は、
前記ＤＣ電力を発生させるように構成されている電力供給源と、
該ＤＣ電力を変調するように構成されているコンバーターと
を含む、請求項１３に記載の超音波外科手術装置。
【請求項２３】
前記コントローラーは、前記コンバーターを駆動させるために、前記感知されたＤＣに基づいてディジタルパルス幅変調信号を発生させるようにさらに構成されている、請求項２２に記載の超音波外科手術装置。
【請求項２４】
前記超音波運動の長手方向変位は、前記コンバーターによって変換される前記ＤＣの振幅に基づいている、請求項２２に記載の超音波外科手術装置。
【請求項２５】
組織を処置するための超音波システムであって、該超音波システムは、
超音波外科手術装置であって、該超音波外科手術装置は、
直流（ＤＣ）を提供するように構成されている電源と、
電源と電気的に結合されている超音波運動発生器であって、該超音波運動発生器は、
該直流を第１の周波数を有する交流（ＡＣ）に逆変換するように構成されている非共振インバーターと、
該非共振インバーターと電気的に結合されている運動感知回路と、
該運動感知回路と電気的に結合されている超音波変換器であって、該超音波変換器は、該ＡＣに基づいて超音波運動を発生させるように構成され、該運動感知回路は、該超音波変換器を通過する運動電流を感知するようにさらに構成されている、超音波変換器と、
コンパレーターであって、該コンパレーターは、該運動電流に基づいて、該超音波変換器の共振周波数からの該第１の周波数の偏差を検出するように構成され、該非共振インバーターを駆動するために、該偏差に基づいて出力信号を発生させるように構成されている、コンパレーターと
を含む、超音波運動発生器と、
該電源から該超音波運動発生器へ通過する該ＤＣを感知するように構成されているセンサーと、
該センサーおよび該コンパレーターに結合されているコントローラーであって、該コントローラーは、該ＤＣの振幅を制御するように構成されている、コントローラーと
を含む、超音波外科手術装置と、
組織を密封または解剖するために、該発生させられた超音波運動を該組織に適用するように構成されているエンドエフェクターと
を含む、超音波システム。